(57)【要約】  【課題】  入力をできるだけ簡素化した電子カルテ装置を提供する。  【解決手段】  入力手段と表示手段と記憶手段とを備え、医療機関において患者の診療情報を入力し登録する診療支援装置であって、診療情報を入力するためのシート入力画面の設定情報を記憶するシートファイルと、シートファイルから設定情報を読み出してシート入力画面を表示する表示制御手段と、シート入力画面に処置や処方等の入力項目を設定するとともに設定情報をシートファイルに記憶制御するシート設定手段と、シート入力画面において所望の入力項目を選択指示するための指示手段と、シート入力画面において指示された入力項目を患者の診療情報ファイルに記憶制御するよう構成した。  【選択図】図１
2008171183.tif 000002
【特許請求の範囲】
【請求項１】
入力手段と表示手段と記憶手段とを備え、医療機関において患者の診療情報を入力し登録する診療支援装置であって、
患者の診療情報を保持し前記記憶手段に記憶されている診療情報ファイルと、
診療情報を入力するためのシート入力画面の設定情報を保持し前記記憶手段に記憶されているシートファイルと、
入力手段により入力された使用者所望の処置や処方等の入力項目をシート入力画面に設定するとともに設定情報をシートファイルに記憶制御するシート設定手段と、
シートファイルから設定情報を読み出して前記表示手段にシート入力画面を表示する表示制御手段と、
前記表示手段に表示されたシート入力画面において所望の入力項目を選択し入力するための選択入力手段と、
シート入力画面において選択入力された入力項目を患者の診療情報ファイルに記憶制御する診療情報記憶制御手段と、
を備えたことを特徴とする診療支援装置。
【請求項２】
請求項１に記載の診療支援装置において、前記シート設定手段は、患者の主訴及び医師の所見等に係る経過等入力項目と処置や薬剤等に係る処方等入力項目及び病名に係る病名入力項目のうち２つ以上の入力項目を１シートに混在させて設定することを特徴とする診療支援装置。
【請求項３】
請求項１又は請求項２に記載の診療支援装置において、前記シートファイルはシート入力画面の表示サイズを更に記憶するものであり、
前記シート設定手段は、シート入力画面の表示サイズを少なくとも最大のフルサイズとそれより小さいサイズのいずれかに設定し、その設定情報をシートファイルに記憶制御するものであり、
前記表示制御手段は、シートファイルから設定情報を読み出して設定されているサイズにシート入力画面を表示することを特徴とする診療支援装置。
【請求項４】
入力手段と表示手段と記憶手段とを備え、医療機関において患者の診療情報を入力し登録する診療支援装置の診療支援方法であって、
前記入力手段により入力された使用者所望の処置や処方等の入力項目をシート入力画面に設定するとともに設定情報を記憶制御するシート設定手順と、
前記記憶手段に記憶された設定情報を読み出して前記表示手段にシート入力画面を表示する表示制御手順と、
前記表示手段に表示されたシート入力画面において所望の入力項目を前記入力手段により選択し入力する手順と、
シート入力画面において選択入力された入力項目を患者の診療情報として前記記憶手段に記憶制御する手順と、を含むことを特徴とする診療支援方法。
【請求項５】
請求項４に記載の診療支援方法において、前記シート設定手順は、患者の主訴及び医師の所見等に係る経過等入力項目と処置や薬剤等に係る処方等入力項目及び病名に係る病名入力項目のうち２つ以上の入力項目を１シートに混在させて設定することを特徴とする診療支援方法。
【請求項６】
請求項４又は請求項５に記載の診療支援方法において、前記シート設定手順は、シート入力画面の表示サイズを少なくとも最大のフルサイズとそれより小さいサイズのいずれかに設定し、その設定情報を記憶制御するものであり、
前記表示制御手順は、前記記憶された設定情報を読み出して設定されているサイズにシート入力画面を表示することを特徴とする診療支援方法。
【請求項７】
入力手段と表示手段と記憶手段とを備え、医療機関において患者の診療情報を入力し登録する診療支援装置のプログラムであって、
前記入力手段により入力された使用者所望の処置や処方等の入力項目をシート入力画面に設定するとともに設定情報を記憶する前記記憶手段を制御するシート設定手順と、
前記記憶手段に記憶された設定情報を読み出してシート入力画面を表示する前記表示手段を制御する表示制御手順と、
前記表示手段に表示されたシート入力画面において所望の入力項目を選択し入力する前記入力手段を制御する手順と、
シート入力画面において選択入力された入力項目を患者の診療情報として記憶する前記記憶手段を制御する手順と、を含むことを特徴とする診療支援プログラム。
【請求項８】
請求項７に記載の診療支援プログラムであって、前記シート設定手順は、患者の主訴及び医師の所見等に係る経過等入力項目と処置や薬剤等に係る処方等入力項目及び病名に係る病名入力項目のうち２つ以上の入力項目を１シートに混在させて設定することを特徴とする診療支援プログラム。
【請求項９】
請求項７又は請求項８に記載の診療支援プログラムであって、前記シート設定手順は、シート入力画面の表示サイズを少なくとも最大のフルサイズとそれより小さいサイズのいずれかに設定し、その設定情報を記憶する前記記憶手段を制御するものであり、
前記表示制御手順は、前記記憶された設定情報を読み出して設定されているサイズにシート入力画面を表示するように前記表示手段を制御することを特徴とする診療支援プログラム。
【発明の詳細な説明】
【技術分野】
【０００１】
本発明は、患者の診療に関する情報を記録する診療支援装置あるいは電子カルテ装置に係り、特にその診療データの入力方法に関する。
【背景技術】
【０００２】
医療機関において、患者に対する治療内容等を記録する診療支援装置いわゆる電子カルテ装置が普及しつつある。この診療支援装置では、医師が患者を診療した際に診立てた患者の傷病名や、患者に実施した処置、処方、検査等の治療内容を表す診療データ、さらに患者の主訴や医師の所見、経過等のデータも記録される。そのために従来の診療支援装置では、傷病名を入力するための病名入力業務と、処置、処方等を入力するための処方等入力業務、及び主訴、所見、経過データを入力するための経過等入力業務が通常用意されている。そして、それぞれの業務は病名入力画面、処方入力画面、経過等入力画面を個別に持ち、それぞれの業務に切り換えて、即ちそれぞれの画面に切り換えてデータを入力するようになっている。例えば、特許文献１には、先ず病名入力画面を表示し、そこで病名が選択されると処置入力画面に切り換わる歯科診療支援装置が記載されている。
【特許文献１】特開２０００−３６００４
【発明の開示】
【発明が解決しようとする課題】
【０００３】
従来の病名入力画面の一例を図１５に示す。ここでは、登録した診療データを紙のカルテの様に表示するカルテ２号紙画面の上に、病名入力画面を重ねて表示している。医師がここで「うつ病」と入力したい場合は、病名入力画面の左上の「あ行」をクリックし、リスト表示された「あ行」の病名の中から所望の「うつ病」をクリックすることで選択し、下側の現病歴欄に表示させる。ここには現在治療している傷病名が表示される。開始日や転帰、保険の情報等は装置が自動的に表示する。そして、右下のＯＫボタンを指示することで病名のデータがデータベースに登録されるものである。
【０００４】
国内で使われる傷病名の数は数百に上るので、従来は何らかの分類に従って先ず病名をリスト表示させ、その中から所望の病名を選択・指示して登録するようになっていた。もちろん、その表示したリストに含まれる病名の数が多い場合には、更にリストをスクロール表示させることも必要であった。また、処方や検査を入力する場合も同様に、名称その他の分類を指定して先ずリスト表示させ、その中から所望のものを選択する手順であった。さらに、処方に係る薬剤の選択等では、分類が２階層、３階層に及ぶものもあったのでさらに面倒であった。
【０００５】
ところで、患者の病名は診療科によって偏りがあることが分っている。科によっても違うが、その診療科で診る病名のうち件数の多いものから幾つか選ぶと、それらの病名で来院患者の大半がカバーできることが多い。また、それに伴って検査や処方等も同じような項目を実施することが多い。しかし、従来は、上述したように、例えば病名の入力に際して、どの患者に対しても病名入力業務を起動し、病名入力画面を表示させて分類の指定とリストの表示そして病名の選択指示の手順を踏む必要があった。処方や検査等も同様の手順であった。これは、忙しい診療現場において電子カルテを操作する医師の負担となっていた。そこで、本願は、入力をできるだけ簡素化した電子カルテ装置を提供することを目的とする。
【課題を解決するための手段】
【０００６】
本発明は、入力手段と表示手段と記憶手段とを備え、医療機関において患者の診療情報を入力し登録する診療支援装置であって、診療情報を入力するためのシート入力画面の設定情報を記憶するシートファイルと、シートファイルから設定情報を読み出してシート入力画面を表示する表示制御手段と、シート入力画面に処置や処方等の入力項目を設定するとともに設定情報をシートファイルに記憶制御するシート設定手段と、シート入力画面において所望の入力項目を選択指示するための指示手段と、シート入力画面において指示された入力項目を患者の診療情報ファイルに記憶制御することで、上記課題を解決するものである。
【発明の効果】
【０００７】
本発明の診療支援装置によれば、シートに設定されている入力項目のうち当該患者について必要なものを画面上でチェックするだけで、診療データを入力できるようになる。その際、処方も病名も、更に経過等情報も１枚のシートでまとめて入力できるものである。また、シート入力画面を連続入力状態にすることで、入力途中で登録を指示した場合、シート入力画面を開いたままでそれまでインプットしたデータを登録するので、入力の節目節目にデータを確実に登録しながら続けて診療情報の入力ができるようになり、使用者の様々な入力の仕方に対応できるものである。
【発明を実施するための最良の形態】
【０００８】
本発明の実施の形態における診療支援装置１０のブロック構成を図１に示す。図において４はＬＣＤ等で構成した情報表示手段としての表示装置、５はデータ入力手段としてのキーボード、６はマウス等のポインティングデバイス、１はＣＰＵ２とメモリ３とを備えた制御装置、７はハードディスク装置等の記憶手段で構成したファイル装置である。このファイル装置７には、シートファイル１１と、病名ファイル１２と、処置ファイル１３と、患者ファイル１４と、診療情報ファイル１５とを記憶している。制御装置１は、キーボード５やポインティングデバイス６からの入力を受け付ける機能、表示装置４の表示を制御する機能、装置１０全体を制御する機能を有する。キーボード５とポインティングデバイス６は以下の説明において選択手段又は選択入力手段として機能する。診療支援装置１０はパーソナルコンピュータ等の一般のコンピュータを基本ハードウェアとすることもできる。そして、本装置に特有の機能を奏するプログラムを予めＲＯＭあるいはファイル装置にインストールしておいてもよいし、ＣＤ−ＲＯＭ等の記憶媒体に格納して供給してもよいし、あるいはネットワークを介してダウンロード可能に置いてもよい。制御装置１が同プログラムを導入して実行することで本装置に特有の機能を発揮する。
【０００９】
患者ファイル１４には、患者の氏名や住所、保険に関する情報等の患者固有の情報を記憶している。診療情報ファイル１５には、患者に実施した処置や処方、検査さらに患者の病名等の診療に係る情報を患者別に記憶している。病名ファイル１２には、この医療機関で使う可能性がある全傷病名をその固有の病名コードと共に予め登録している。処置ファイル１３には、カルテに記録する項目である処置や検査等の診療行為、薬剤や処方、そして、主訴、所見、バイタル等の項目を、それぞれの名称と固有コードとともに予め登録している。シートファイル１１には、診療内容の入力を定型化したシートの情報を記憶している。
【００１０】
ここで、本願に特有のシート入力及びシートについて説明する。図５はシート入力を指示してシート入力画面１００を表示した状態を示している。背景にある画面２００がこの患者を呼び出したときの基本画面であり、この基本画面２００に重ねてシート入力画面１００を表示している。基本画面２００の右端にシート入力を指示するボタン２０１があるので、使用者はこのボタン２０１をポインティングデバイス６で指示即ちクリックすることでシート入力画面１００を表示させる。ボタン２０１の上には病名入力のボタン、処方入力のボタン、経過入力のボタンがあり、それぞれ従来の病名入力画面、処方入力画面、経過等入力画面を呼び出すボタンである。
【００１１】
シート入力画面１００として表示されるのが１枚のシートであり、シートの構成を模式的に示したものが図４である。本実施形態では使用者が自由にシートを設計して登録することができる。シートは一番上のヘッダ部と、複数の列（列１、列２、…）で構成した選択入力部と、一番下のフッタ部とで構成される。ヘッダ部には医師名、診療科名、保険の情報等が表示される。フッタ部にはデータの登録を指示するためのボタン類と、登録されているシートを選択するプルダウンメニュー及びタブがある。
【００１２】
選択入力部には８個まで列を設定でき、それぞれの列は４０行分の設定欄を有する。この設定欄に使用者が自由に入力項目を設定できる。このとき制御部１はシート設定手段として機能する。図３及び図６乃至８は、入力項目を追加設定する様子を示している。図６は元のシート入力画面１００であり、現在開いているシートの名称、ここでは「経過等入力」がシート選択メニュー１０１に表示されている。ここでシートの変更を指示し（図３、ステップＳ２１）、シート変更画面１１０を表示（同Ｓ２２）させたのが図７である。シート変更画面１１０は元のシート入力画面１００のコピーであり、ここで入力項目を追加又は削除して最終的にＯＫした（同Ｓ３３；はい）ものが元のシート入力画面１００に反映されるものである。図７ではシート変更画面１１０において経過等項目を追加設定するために、左下の経過ボタン１１３を指示して（同Ｓ２３）経過等入力ツール１２０を表示させ、「体温」を選択指示している（同Ｓ２４）。その結果、シート変更画面１１０には体温の入力項目１１６、即ち先頭のチェックボックスと名称「体温」と単位「℃」とが初期のシート変更画面１１０に追加する形で表示されている。
【００１３】
さらに、経過等入力ツール１２０を閉じて次に処方ボタン１１４を指示し（同Ｓ２５）、処方等入力ツール１３０を表示させたのが図８である。ここでは処方等入力ツール１３０のアーテン錠（２ｍｇ）が指示されて（同Ｓ２６）、シート変更画面１１０にアーテン錠の入力項目１１７のチェックボックスとその名称とが追加して表示されている様子が分る。そして、この変更の登録を指示すると（Ｓ３３；はい）、制御部１は設定内容をシートファイル１１に登録するとともに、元のシート入力画面１００に体温とアーテン錠の入力項目を追加して表示する（同Ｓ３６）。また、病名ボタン１１５を指示して病名入力ツール（図示せず）を表示させ、病名に係る入力項目を設定することもできる。尚、入力項目は「名称」と、「入力」・「数値」・「単位」のいずれか又は全部との組み合わせとして設定される。「入力」とはその入力項目のデータであり、医師がキーボード５等から入力する具体的な数値やコメント文である。
【００１４】
シート入力は、そのシートに設定されている入力項目のうち当該患者について必要なものを、ポインティングデバイスを使って画面上でチェックするだけで、診療データを入力できるようにしたものである。従って、使う可能性が高い入力項目を予めシートに設定し登録しておけばよい。例えば、その診療科でよく見られる幾つかの傷病名や、その診療科でよく処方する薬剤及び処方、また、患者の主訴や医師の所見、体温、血圧等のバイタル項目等である。これらは病名関係、処方関係そして経過等関係として列を分けてシートに設定してもよいし、同じ列内に混在させてもよい。本実施形態ではどのようにシート内に配置するかは使用者が自由に決めてよい。そして、シート毎に異なる設定とし、それぞれに名称を付けて複数のシートを登録することができる。尚、シートの切り替えはシート選択メニュー１０１で所望のシート名称を選ぶことにより行う。
【００１５】
また、シートにはラベルを設定することができる。ラベルとはその列内の入力項目をグループ分けするために使用するものである。シート変更画面１１０でラベルボタン１１１を指示し、入力項目と同様の操作でラベルを設定することができ、自由な名称を付けることができる。ラベルは視覚的に分り易いようにシート入力画面１００においてアンダーライン付きで表示される。ラベルはまた処方を分ける機能も持つ。例えば、処方１、処方２というラベルを同じ列内に設定し、それぞれのラベルの下に１つ以上の薬剤の入力項目を設定しておけばよい。
【００１６】
また、シート入力画面１００を表示する際の大きさと、その画面内に表示する列数とをシート毎に設定することができる。制御部１は所定の操作に応じて図９に示すようなシート名称やサイズを指定するための設定画面１４０を表示する。シート入力画面１００の大きさはフルサイズとハーフサイズ（左）、及びハーフサイズ（右）の３種類が設定できる。フルサイズは最大の大きさであり、図１０がその表示例である。ハーフサイズ（左）はフルサイズの左半分の大きさであり、シート入力画面１００の右側で背景となっている基本画面２００の入力内容が見られるようにしたものである。図１１はその表示例である。例えば、基本画面２００がカルテ２号紙画面の場合は、右側の処方等情報２２０が常に見えるので、シート入力画面１００で入力した処方等のデータが、即座にカルテ２号紙画面に反映され表示されるのが確認できるようになる。他方、ハーフサイズ（右）はその逆であり、その表示例を図１２に示す。
【００１７】
シート入力画面１００に一度に表示する列数は１から８までの間で設定できる。これもシート単位に設定できる。例えば２列に設定した場合は、画面の大きさがフルサイズでも２列表示であるし、ハーフサイズでも２列表示である。そして、そのシートが３列目以降にも入力項目を有する場合は、選択入力部の下端にスクロールバーが表示されるので、左右にスクロールさせて表示させることができる。
【００１８】
また、シート入力画面１００に複数のタブを設定することができる。その様子を図１３及び図１４に示す。図１３にあるように使用者がシート変更画面１１０を先ず表示し、そのフッタ部で右クリックし、プルダウンメニュー１１８によりタブ追加を指示すると（ステップＳ３１；はい）、制御部１は図１４に示すタブ名入力画面１６０を表示する。そこで使用者は適当なタブ名称を入力して設定完了を指示する。これに応じて制御部１は設定内容を反映してシート変更画面１１０を再表示する。図示の例では経過５のタブが追加されることになる。本実施形態ではタブの数に特に制限は無い。そして、それぞれのタブが最大８つの列を持つことができる。例えば、５個のタブを持つシートでは、タブを切り換えることで最大４０列の選択入力部を使うことが可能である。このタブもシート毎に設定できるものである。
【００１９】
そして、上述したような入力項目やシート入力画面１００の大きさ（サイズ）、列数、タブ等の設定内容が、シート名称のデータとともに、制御部１によってシート単位にシートファイル１１に記録される（同Ｓ３４）。このとき制御部１はシート設定手段として機能する。
【００２０】
次に、このように設定し登録したシートを使って患者の診療データを入力する手順を、図２のフローチャートを参照して説明する。
【００２１】
主に医師である使用者は、診療開始にあたってその患者の患者番号等をキーボード５から入力し、患者のデータを呼び出して画面に表示させる（ステップＳ１）。次に、既に登録してある患者の診療データを表示させたい場合は、画面右の２号紙ボタンを指示する。これにより紙のカルテと同様の様式で過去の診療データを制御部１が表示する（同Ｓ２）。従来のように経過等のデータ又は処方のデータあるいは病名を個別に入力したい場合は、それぞれ画面右の経過入力ボタン（同Ｓ４）、処方入力ボタン（同Ｓ６）、病名入力ボタン（同Ｓ８）を指示すればよい。これに応じて制御部１が個別専用の入力画面である経過等入力画面（同Ｓ５）又は処方等入力画面（同Ｓ７）あるいは病名入力画面（同Ｓ９）を表示する。
【００２２】
一方、本実施形態に特有のシート入力ボタンを指示すると（同Ｓ１０；はい）、制御部１はこれに応じて、シートファイル１１に登録されているシートのうち最近使用したシートのデータを読み出し（同Ｓ１２）、シート入力画面１００として表示する（同Ｓ１３）。このとき制御部１はシート表示制御手段として機能する。図５にその表示例を示す。
【００２３】
そこで、使用者は必要な入力項目をチェックし、それぞれのデータを入力欄にインプットする（同Ｓ１４）。例えば、図５の画面において左上の「主訴」をチェックし、患者の訴えである「昨日から咽頭痛あり」をキーボード５から入力する。また、その右の「体温」をチェックし、実測値の「３８．６」をインプットする。このように必要な項目を入力したら、使用者は画面右下のＯＫボタンを指示する。これに応じて制御部１は、シート入力画面１００上で選択され入力されたデータを基本画面２００のカルテ２号紙画面に反映させて表示するとともに、データを診療情報ファイル１５に登録する診療情報記憶制御手段として機能する。そして、シート入力画面１００を閉じる。このようにシート入力画面１００を使うことで、患者の主訴や医師の所見、体温や血圧等のバイタル、薬剤や処方さらに病名のデータを１つの画面で入力できるものである。
【００２４】
また、シートにラベルが設定されているとき、そのラベルが処方データのラベルとして設定されている場合、制御部１は、次のラベルまでの処方データをまとめて１つの処方として登録する。これにより、１つのシートに２つ以上の処方をラベルで分けて設定しておけば、１度の入力で複数の処方を登録できるものである。従来のように、処方入力画面を表示させて１つ目の処方データを入力し登録する処理、次の処方データを入力して登録する処理といった、処理の繰り返しをしなくてもよい。
【００２５】
シート入力画面１００でＯＫボタンを指示して基本画面２００に戻り、カルテ２号紙画面を表示すると、左側に経過等情報２１０、右側に処方等情報２２０が見易く整理されて表示されるので、今回入力した内容を確認することができる。ここで入力漏れを見つけたときは、再びシート入力ボタンを指示してシート入力画面１００を表示させればよい。
【００２６】
ところで、本実施形態においては、シート入力画面１００を閉じないで入力途中のデータをカルテ２号紙画面に反映させることもできるようになっている。それにはシート入力画面１００においてＯＫボタンの左の「連続」を使用者が予め指示してチェックマークを表示し、連続入力状態を指示しておくのである。ここにチェックが入っていると制御部１は、ＯＫボタンが指示された時点でインプットされている入力項目を基本画面２００のカルテ２号紙画面に反映させて表示するとともに、データを診療情報ファイル１５に登録するのである。但し、このときシート入力画面１００は閉じないでおく。これにより使用者は開いているシート入力画面１００において継続して入力ができる。
【００２７】
そして、制御部１は、ＯＫボタンが指示されたときカルテ２号紙画面に反映させ、診療情報ファイル１５に登録した入力項目は、それが分るようにシート入力画面１００において文字を斜体に変えて表示し直すようにしている。これにより、既に登録済の項目がどれであるかが使用者に分るようにするのである。これは例えば、シート入力画面１００を左右にスクロールさせて、あるいはタブを切り換えてデータを入力する場合において、スクロール前またはタブ切り換え前に一旦それまでの入力データを登録しておくような仕方に対応するためである。尚、文字を斜体にする代わりに文字の色を変えたり、太字にしたり、地の色を変えるなど使用者が分りやすい表示態様であれば何でもよい。
【図面の簡単な説明】
【００２８】
【図１】実施形態の診療支援装置の構成を示すブロック図である。
【図２】実施形態の動作を示すフローチャートである。
【図３】実施形態の動作を示すフローチャートである。
【図４】実施形態のシート入力画面の構成を示す図である。
【図５】実施形態のシート入力画面の表示例を示す図である。
【図６】実施形態のシート入力画面の表示例を示す図である。
【図７】実施形態のシート変更画面の表示例を示す図である。
【図８】実施形態のシート変更画面の表示例を示す図である。
【図９】実施形態のシートサイズを指定するための設定画面の表示例を示す図である。
【図１０】実施形態のシート入力画面の表示例を示す図である。
【図１１】実施形態のシート入力画面の表示例を示す図である。
【図１２】実施形態のシート入力画面の表示例を示す図である。
【図１３】実施形態のシート変更画面の表示例を示す図である。
【図１４】実施形態のタブ名入力画面の表示例を示す図である。
【図１５】従来の病名入力画面の表示例を示す図である。
【符号の説明】
【００２９】
１  制御装置
２  ＣＰＵ
３  メモリ
４  表示装置
５  キーボード
６  マウス
７  ファイル装置
１１  シートファイル
１２  病名ファイル
１３  処置ファイル
１４  患者ファイル
１５  診療情報ファイル
１００  シート入力画面
１１０  シート変更画面
【図１】
2008171183.tif 000003
【図２】
2008171183.tif 000004
【図３】
2008171183.tif 000005
【図４】
2008171183.tif 000006
【図５】
2008171183.tif 000007
【図６】
2008171183.tif 000008
【図７】
2008171183.tif 000009
【図８】
2008171183.tif 000010
【図９】
2008171183.tif 000011
【図１０】
2008171183.tif 000012
【図１１】
2008171183.tif 000013
【図１２】
2008171183.tif 000014
【図１３】
2008171183.tif 000015
【図１４】
2008171183.tif 000016
【図１５】
2008171183.tif 000017